(57)【要約】【課題】シース熱電対が動作不良に陥ったときに、シース熱電対の交換が簡単にできて、再度使用可能な状態に、迅速に、且つ安価に復旧することができる温度測定用スパークプラグを提供すること。【解決手段】絶縁碍子６の軸孔６ａに装着された有底円筒状の中心電極８と、中心電極８の挿入孔４７に設置されるシース熱電対１１と、を備える温度測定用スパークプラグ１において、シース熱電対１１を中心電極８に着脱可能に連結固定し、且つ、挿入孔４７の底部とシース熱電対１１の先端部１１ａとは０．０５ｍｍ以上１．００ｍｍ以下の間隙を有するように、シース熱電対１１の固定位置を設定する。【選択図】図２
2011119058.tif 000002
【特許請求の範囲】
【請求項１】
筒状の主体金具と、
前記主体金具の先端部に配置された外側電極と、
前記主体金具内に固定され、軸線方向に延びる軸孔を有する絶縁碍子と、
先端電極部が前記絶縁碍子の先端面から突出し、前記外側電極と対向するように、前記絶縁碍子の軸孔に装着された中心電極と、
前記先端電極部の温度を検出するシース熱電対と、を備え、
前記中心電極は、後端部から先端側に向け前記軸線方向に延びる有底の挿入孔を有し、
前記挿入孔に前記シース熱電対が設けられた温度測定用スパークプラグであって、
前記シース熱電対は、前記中心電極に対し着脱可能に連結固定され、且つ、前記挿入孔の底部と前記シース熱電対の先端部とは０．０５ｍｍ以上１．００ｍｍ以下の間隙を有することを特徴とする温度測定用スパークプラグ。
【請求項２】
前記軸線方向における前記挿入孔の底部面と前記中心電極の先端面との間の距離が、０．１ｍｍ以上２．１ｍｍ以下であることを特徴とする請求項１に記載の温度測定用スパークプラグ。
【請求項３】
前記先端電極部の先端面に、貴金属チップを設けたことを特徴とする請求項１又は２に記載の温度測定用スパークプラグ。
【発明の詳細な説明】
【技術分野】
【０００１】
本発明は、中心電極内にシース熱電対を組み込んで使用時のプラグ先端温度を測定可能にした温度測定用スパークプラグに関する。
【背景技術】
【０００２】
新型のエンジンが試作されると、エンジンの性能を充分に引き出せるスパークプラグを選定するためにプラグ適合試験を行う。このプラグ適合試験では、エンジンの各回転域におけるスパークプラグの先端温度を測定する。そして、測定した温度データを解析することにより、そのエンジンに対する適合性の評価を行い、また、評価結果に基づいて、そのエンジンに対してより適合性の高いプラグの仕様等を算定する。
【０００３】
上記プラグ適合試験では、使用時のプラグ先端温度を測定可能なように、中心電極内にシース熱電対を組み込んだ温度測定用スパークプラグが使用される。
【０００４】
温度測定用スパークプラグでは、中心電極として、シース熱電対を組み込む挿入孔が穿設された有底円筒状のものが使用される。また、従来の温度測定用スパークプラグの場合、中心電極内に組み込んだシース熱電対は、その先端の接点部を中心電極の先端電極部に溶接することで、中心電極に固定している（下記特許文献１，２参照）。
【先行技術文献】
【特許文献】
【０００５】
【特許文献１】特開平９−４５４５９号公報
【特許文献２】特開平９−２６００２１号公報
【発明の概要】
【発明が解決しようとする課題】
【０００６】
温度測定用スパークプラグは専用の各部品を設計して製造されている。従って、部品製造用の金型も温度測定用スパークプラグ専用のものとなる。この結果、温度測定用スパークプラグの製造コストは、通常のスパークプラグの製造コストよりも高くなる。
【０００７】
すなわち、従来の温度測定用スパークプラグは、通常のスパークプラグとは別に、温度測定用として最初から設計、製造されるので、温度測定用スパークプラグ専用の部品金型が必要であり、通常のスパークプラグ用の部品金型を利用できず、製造コストが高かった。
また、一般に、前記中心電極内のシース熱電対は、使用時間の増加に伴い酸化等による劣化が進む。劣化が一定以上進むと、正常な温度指示ができなくなる動作不良に陥るため、シース熱電対の交換が必要になる。
【０００８】
しかし、従来の温度測定用スパークプラグの場合、シース熱電対は溶接により中心電極に固定しているため、中心電極も一緒に交換しなければならない。
【０００９】
ところが、中心電極は、細い軸構造の中心部に挿入孔を穿設した有底筒状構造で、加工等が簡単ではなく、中心電極を作り直すために時間や加工費が嵩む。その結果、迅速な復旧が難しい、復旧に必要なコストが高額化するという問題が生じた。
【００１０】
そこで、本発明の目的は、上記課題を解消することに係り、シース熱電対が動作不良に陥ったときに、シース熱電対の交換が簡単にできて、再度使用可能な状態に、迅速に、且つ安価に復旧することができる温度測定用スパークプラグを提供することにある。
【課題を解決するための手段】
【００１１】
本発明の前述した目的は、下記の構成により達成される。
（１）筒状の主体金具と、
前記主体金具の先端部に配置された外側電極と、
前記主体金具内に固定され、軸線方向に延びる軸孔を有する絶縁碍子と、
先端電極部が前記絶縁碍子の先端面から突出し、前記外側電極と対向するように、前記絶縁碍子の軸孔に装着された中心電極と、
前記先端電極部の温度を検出するシース熱電対と、を備え、
前記中心電極は、後端部から先端側に向け前記軸線方向に延びる有底の挿入孔を有し、
前記挿入孔に前記シース熱電対が設けられた温度測定用スパークプラグであって、
前記シース熱電対は、前記中心電極に対し着脱可能に連結固定され、且つ、前記挿入孔の底部と前記シース熱電対の先端部とは０．０５ｍｍ以上１．００ｍｍ以下の間隙を有することを特徴とする温度測定用スパークプラグ。
【００１２】
（２）前記軸線方向における前記挿入孔の底部面と前記中心電極の先端面との間の距離が、０．１ｍｍ以上２．１ｍｍ以下であることを特徴とする上記（１）に記載の温度測定用スパークプラグ。
【００１３】
（３）前記先端電極部の先端面に、貴金属チップを設けたことを特徴とする上記（１）又は（２）に記載の温度測定用スパークプラグ。
【００１４】
上記（１）の構成によれば、中心電極の挿入孔に設置されるシース熱電対は、中心電極に着脱可能に連結固定されている。そのため、シース熱電対が動作不良に陥ったときには、動作不良のシース熱電対を中心電極から取り外して、正常なシース熱電対を中心電極に取り付けるだけでよく、製造が難しい中心電極を作り直す必要が生じない。
【００１５】
そのため、シース熱電対の交換が簡単にできて、再度使用可能な状態に、迅速に、且つ安価に復旧することができる。
【００１６】
また、上記（１）の構成によれば、中心電極の挿入孔に設置されたシース熱電対は、挿入孔の底部と前記シース熱電対の先端部とは０．０５ｍｍ以上１．００ｍｍ以下の間隙を有する。そのため、シース熱電対の熱膨張等によってシース熱電対の接点（シース先端）が、挿入孔の底部壁と衝突して底部壁の破損等を招くおそれがなく、先端電極部としての底部壁の性能、シース熱電対の性能を安定維持することができる。
【００１７】
また、温度測定用ではない通常のスパークプラグの完成品又は完成途中品の中心電極にシース熱電対用の挿入孔を形成することで、温度測定用スパークプラグ専用の部品を始めから設計、製造する必要がなく、通常のスパークプラグ用の部品を用いることができる。従って、温度測定用スパークプラグの製造コストを抑えることができる。
【００１８】
上記（２）の構成によれば、軸線方向における前記挿入孔の底部面と前記中心電極の先端面との間の距離が、０．１ｍｍ以上２．１ｍｍ以下であり、シース熱電対の先端部と中心電極の先端面との距離を、シース熱電対の先端部が挿入孔の底部壁に接触している従来の温度測定用スパークプラグの場合と略同等に維持することができる。
【００１９】
従って、シース熱電対の接点が挿入孔の底部壁に対して非接触になっていても、先端電極部の先端面から接点への熱伝導の低下を抑止することができ、シース熱電対による温度検出精度の低下を防止することができる。
【００２０】
上記（３）の構成によれば、シース熱電対の接点が先端電極部として機能する中心電極の底部壁に溶接されていないため、貴金属チップは、例えばレーザ溶接等で、簡単に先端電極部の先端面に固定することができる。
【００２１】
そして先端電極部の先端面に貴金属チップを設けることで、貴金属プラグとしてのプラグ適合試験を行うことが可能になる。
【００２２】
通常のスパークプラグでは、電極部に白金やイリジウム等の貴金属チップを装備して、これらの貴金属の持つ触媒作用を利用して着火性を改善するようにした貴金属プラグが開発されているが、従来の温度測定用スパークプラグでは、中心電極の先端電極部にシース熱電対の接点が溶接される構造上、中心電極の先端面に貴金属チップを装備した構造にはできなかった。
【００２３】
しかし、上記（３）の構成によれば、先端電極部の先端面に貴金属チップを固定することができるので、貴金属プラグとしてのプラグ適合試験を行うことが可能になる。
【発明の効果】
【００２４】
本発明による温度測定用スパークプラグによれば、シース熱電対は、中心電極の挿入孔内に着脱可能に連結固定されている。そのため、シース熱電対が動作不良に陥ったときには、動作不良のシース熱電対を中心電極から取り外して、シース熱電対のみを交換するだけで、再度使用可能な状態になる。
【００２５】
従って、シース熱電対のみの交換によって、再度使用可能な状態に、迅速に、且つ安価に復旧することができる。
【００２６】
また、本発明による温度測定用スパークプラグによれば、挿入孔の底部とシース熱電対の先端部とは０．０５ｍｍ以上１．００ｍｍ以下の間隙を有する。そのため、シース熱電対の熱膨張等によってシース熱電対の接点が、挿入孔の底部壁と衝突して底部壁の破損等を招くおそれがなく、先端電極部としての底部壁の性能、シース熱電対の性能を安定維持することができる。
【図面の簡単な説明】
【００２７】
【図１】本発明に係る温度測定用スパークプラグの第１実施形態の一部を破断した側面図である。
【図２】図１に示した温度測定用スパークプラグの要部の拡大縦断面図である。
【図３】図２に示した中心電極の一部を破断した側面図である。
【図４】図２に示したシース熱電対の拡大縦断面図である。
【図５】図２に示した中心電極の先端電極部とシース熱電対の接点との間の位置関係を示す拡大図である。
【図６】本発明に係る温度測定用スパークプラグにおけるシース熱電対の接点と挿入孔の底部壁との間の離間距離と温度指示値との相関図である。
【図７】本発明に係る温度測定用スパークプラグにおけるシース熱電対の接点と挿入孔の底部壁との間の離間距離が過小なために温度指示値が不良となる測定結果を示す表である。
【図８】本発明に係る温度測定用スパークプラグにおける挿入孔の底部壁の肉厚と温度指示値との相関図である。
【図９】本発明に係る温度測定用スパークプラグの第２実施形態の要部の拡大縦断面図である。
【発明を実施するための形態】
【００２８】
以下、本発明に係る温度測定用スパークプラグの好適な実施形態について、図面を参照して詳細に説明する。
【００２９】
［第１実施形態］
図１および図２は本発明に係る温度測定用スパークプラグの第１実施形態を示したものである。なお、第１実施形態の温度測定用スパークプラグは、始めから温度測定用スパークプラグ専用の部品を設計、製造したものではなく、温度測定用ではない通常のスパークプラグの完成品又は完成途中品を加工して製造したものである。
【００３０】
この第１実施形態の温度測定用スパークプラグ１は、先端面３ａに外側電極４を突設した筒状の主体金具３と、主体金具３内に固定される軸孔６ａ付の絶縁碍子６と、絶縁碍子６の軸孔６ａに装着された中心電極８と、この中心電極８内に組み込まれるシース熱電対１１と、絶縁碍子６の軸孔６ａの後端部に固定された高圧端子１３と、高圧端子１３に固定される補助金具１５とを備えている。
【００３１】
主体金具３は、絶縁碍子６の支持および内燃機関への取り付けの役目をする導電性金属よりなるハウジングである。主体金具３の先端面３ａには外側電極４が抵抗溶接等により一体化されている。主体金具３の外周には、内燃機関のシリンダヘッドに取り付けるための取付ねじ部２１、および締付け用レンチ等の工具を係合させるための六角部２２が形成されている。また、主体金具３は、絶縁碍子６を２個のリング２４，２４およびセラミック充填粉末２５を介して加締める等して、内部に保持固定している。
【００３２】
外側電極４は、先端の放電端面４ａが中心電極８の先端面に対向するように、主体金具３の先端面３ａに装備されている。外側電極４は、主体金具３を介して、シリンダヘッドに接地される接地電極である。
【００３３】
絶縁碍子６は、酸化アルミニウム（Ａｌ2Ｏ3：アルミナ）を主体とするセラミックス焼結体で形成された絶縁体である。この絶縁碍子６は、中心電極８および高圧端子１３を、主体金具３から電気的に絶縁している。
【００３４】
絶縁碍子６は、内部に軸方向の軸孔６ａ（内径がφ３．０ｍｍ〜φ４．７ｍｍ）を有し、先端側の脚長部３１が内燃機関の燃焼室内の雰囲気（高温ガス）に晒される。また、絶縁碍子６の後端側は、主体金具３の後端より突出している。絶縁碍子６の後端外周は、波形構造のコルゲーション部３２になっている。絶縁碍子６の内周には、中心電極８を係止する内周段部（係止部）３４が形成されている。
【００３５】
脚長部３１は、主体金具３の取付ねじ部２１の内周との間に燃焼室内の高温ガスが侵入するガスボリューム３５を形成している。コルゲーション部３２は、内周に高圧端子１３を取り付けるための雌ねじ部３６が形成されている。
【００３６】
なお、軸孔６ａは、内周段部３４から脚長部３１の先端まで開通した小孔３７と、内周段部３４からコルゲーション部３２の後端まで開通した大孔３８とで構成されている。大孔３８は、小孔３７より大径である。
【００３７】
中心電極８は、図２に示すように、絶縁碍子６の小孔３７に挿通される棒状部４１と、この棒状部４１の後端に連設されて絶縁碍子６の内周段部３４に引っかかる鍔状部４２とから構成されている。中心電極８は、図３に示すように、全体として有底筒状構造を呈している。棒状部４１の外径は、例えば、φ２．５ｍｍ程度である。
【００３８】
鍔状部４２は、棒状部４１より大径である。中心電極８は、鍔状部４２が内周段部３４に引っかかることで、軸孔６ａに位置決めされる。軸孔６ａに位置決めされた状態では、図２に示すように、棒状部４１の先端部である先端電極部８ａが絶縁碍子６の先端面６ｂから突出して、所定の放電ギャップＧで外側電極４に対向する。
【００３９】
中心電極８の中空部は、シース熱電対１１を設置するための挿入孔４７として機能する。換言すると、中心電極８は、その基端側（後端側）から、軸方向に沿って、挿入孔４７が穿設された構造である。挿入孔４７は温度測定用ではない通常のスパークプラグの完成品の中心電極８に穿設されたものである。
【００４０】
軸孔６ａに位置決めされた中心電極８は、グラスシール５１、無機質接着剤層５２、シールパイプ５４等により、絶縁碍子６に固定される。
【００４１】
グラスシール５１は、中心電極８の後端部と、シース熱電対１１と、大孔３８とで画成されたリング状の空隙に充填される導電性ガラス層である。グラスシール５１は、軸孔６ａの中心軸上にシース熱電対１１を固定すると共に、鍔状部４２を内周段部３４に封着して、中心電極８を絶縁碍子６に固定する。
【００４２】
無機質接着剤層５２は、絶縁碍子６の内周と中心電極８の棒状部４１の外周とを接合するものである。無機質接着剤層５２は、絶縁碍子６と中心電極８とが内周段部３４付近に画成する環状空隙内に無機質接着剤を充填することにより形成されている。
【００４３】
シールパイプ５４は、大孔３８内でシース熱電対１１に外嵌する筒状部材である。このシールパイプ５４の外周には、軸孔６ａに螺着する雄ねじ部５４ａが設けられている。シールパイプ５４は、雄ねじ部５４ａの螺合により絶縁碍子６内に固定され、グラスシール５１を加圧支持する。
【００４４】
シース熱電対１１は、図４に示すように、有底筒状の金属シース６１と、熱電対となる２種の金属線６２，６３とから構成されている。
【００４５】
金属シース６１は、図１に示すように、補助金具１５、高圧端子１３、シールパイプ５４、グラスシール５１、中心電極８を挿通して、金属線６２，６３を保護する。また、金属シース６１は、中心電極８と高圧端子１３とを電気的に接続する導電路としても機能している。
【００４６】
２種の金属線６２，６３の一方は例えばニッケルとクロムを主体としたニッケルクロム合金製のクロメル線（第１金属線）であり、他方はニッケルを用いたアルメル線（第２金属線）である。これらの金属線６２，６３相互は、金属シース６１の先端部で導通接続されている。従って、金属シース６１の先端部が、金属線６２，６３相互を接続した接点１１ａである。
【００４７】
高圧端子１３は、図１に示すように、絶縁碍子６の後端に嵌合する第１筒部７１と、絶縁碍子６の後端に当接する鍔部７２と、絶縁碍子６の後方に突出した第２筒部７３とを備えている。高圧端子１３は、導電性金属（例えば軟鋼）により一体成形されている。高圧端子１３には、シース熱電対１１を設置するための挿入孔１３ａが形成されている。この挿入孔１３ａは、中心電極８の挿入孔４７と共に、温度測定用ではない通常のスパークプラグの完成品又は完成途中品の高圧端子１３に穿設されたものである。
【００４８】
第１筒部７１は、その外周に、コルゲーション部３２の内周の雌ねじ部３６に螺合する雄ねじ部が形成されている。鍔部７２が絶縁碍子６の後端面に当接するまで、第１筒部７１を絶縁碍子６の後端にねじ込むことで、高圧端子１３は絶縁碍子６の後端に固定される。
【００４９】
第２筒部７３には、補助金具１５を介して、高圧接続線７５が電気的に接続される。
【００５０】
補助金具１５は、第２筒部７３の外周に着脱可能に連結される端子本体８１と、端子本体８１の外周に嵌合装着される端子基台８２と、端子基台８２に係合する接続ピン８３とを備えている。端子本体８１および端子基台８２は、導電性金属により形成されている。
【００５１】
端子本体８１は、第２筒部７３の外周に螺合する雌ねじ８１ａが装備された筒部８１ｂを有している。端子本体８１は、第２筒部７３との螺合によって、高圧端子１３に連結固定される。
【００５２】
端子基台８２は、端子本体８１の外周に略密着状態に嵌合する筒部８２ａを有していて、筒部８２ａの内周面に導電性接着剤を塗布して端子本体８１に嵌合させることで、端子本体８１に固定される。
【００５３】
端子本体８１に接着固定される端子基台８２には、高圧接続線７５とシース熱電対１１が固定されている。
【００５４】
本実施形態では、シース熱電対１１は、補助金具１５に固定装備された形態になっていて、補助金具１５を第２筒部７３から取り外すことにより、シース熱電対１１を中心電極８から抜き出すことが可能になる。
【００５５】
また、本実施形態では、補助金具１５を第２筒部７３に螺合固定することで、シース熱電対１１が中心電極８に挿入された状態に位置決め固定される。
【００５６】
即ち、本実施形態では、シース熱電対１１は、高圧端子１３に対する補助金具１５の着脱によって、中心電極８に着脱可能になっている。
【００５７】
また、本実施形態では、図５に示すように、先端電極部８ａとして機能する挿入孔４７の底部壁４７ａとシース熱電対１１の先端部である接点１１ａとが非接触状態となるように、シース熱電対１１の固定位置を設定している。具体的には、挿入孔４７の底部壁４７ａとシース熱電対１１の接点１１ａとは０．０５ｍｍ以上１．００ｍｍ以下の間隙を有する。
【００５８】
さらに、本実施形態では、シース熱電対１１の接点１１ａと挿入孔４７の底部壁４７ａとを非接触にしたことで接点１１ａと底部壁４７ａとの間に形成された離間距離Ｌ相当分だけ、底部壁４７ａの板厚ｔを薄肉化している。例えば、挿入孔４７の底部壁４７ａと中心電極８の先端面である先端電極部８ａとの間の距離は、０．１ｍｍ以上２．１ｍｍ以下である。
【００５９】
以上に説明した第１実施形態の温度測定用スパークプラグ１では、中心電極８の挿入孔４７に設置されるシース熱電対１１は、補助金具１５と高圧端子１３との間のねじ止め構造を介して、中心電極８に着脱可能に連結固定されている。
【００６０】
そのため、シース熱電対１１が動作不良に陥ったときには、補助金具１５を高圧端子１３から取り外すことによって、動作不良のシース熱電対１１を中心電極８から取り外して、正常なシース熱電対１１を装着した補助金具１５を中心電極８に取り付けるだけでよく、製造が難しい中心電極８を作り直す必要が生じない。
【００６１】
そのため、シース熱電対１１の交換が簡単にできて、再度使用可能な状態に、迅速に、且つ安価に復旧することができる。
【００６２】
また、上記第１実施形態の温度測定用スパークプラグ１によれば、中心電極８の挿入孔４７に設置されたシース熱電対１１は、図５に示したように、先端電極部８ａとして機能する挿入孔４７の底部壁４７ａとシース熱電対１１の接点１１ａとが非接触状態となっている。
【００６３】
そのため、シース熱電対１１の熱膨張等によってシース熱電対１１の接点１１ａ（シース先端）が、挿入孔４７の底部壁４７ａと衝突して底部壁４７ａの破損等を招くおそれがなく、先端電極部８ａとしての底部壁４７ａの性能、シース熱電対１１の性能を安定維持することができる。
【００６４】
また、上記第１実施形態の温度測定用スパークプラグ１では、先端電極部８ａの先端面からシース熱電対１１の接点１１ａまでの離間距離は、シース熱電対の接点が挿入孔の底部壁に接触している従来の温度測定用スパークプラグの場合と略同等に維持することができる。
【００６５】
従って、シース熱電対１１の接点１１ａが挿入孔４７の底部壁４７ａに対して非接触になっていても、先端電極部８ａの先端面から接点１１ａへの熱伝導の低下を抑止することができ、シース熱電対１１による温度検出精度の低下を防止することができる。
【００６６】
なお、本願発明者等は、上記第１実施形態の温度測定用スパークプラグ１におけるシース熱電対１１の接点１１ａと挿入孔４７の底部壁４７ａとの間の離間距離Ｌの値を変えて、温度指示値への影響を測定した。
【００６７】
図６は、そのときの測定結果から得た離間距離Ｌとシース熱電対１１による温度指示値との相関図である。
【００６８】
図６では、シース熱電対の先端を挿入孔の底部壁に密着させた（即ち、Ｌ＝０）従来の温度測定用スパークプラグにおけるシース熱電対の正常な温度指示値（７５５℃）を基準にして、±１５℃の温度指示値を合格範囲とする（図では、斜線を引いた領域が、合格範囲である）。
この合格範囲に収まる離間距離Ｌは、０．１ｍｍ〜１．０ｍｍの範囲であった。
【００６９】
さらに、上記離間距離Ｌが小さい場合には、例えばエンジンが高速回転域で運転されて、熱膨張が大きくなった場合に、温度指示値への影響を測定した。図７は、そのときの測定結果で、離間距離Ｌが０．０１ｍｍ〜０．０４ｍｍの範囲であった場合には、熱膨張により接点１１ａが底部壁４７ａに干渉することで、シース熱電対１１の温度指示値が不良となる場合が発生することが判明した。
【００７０】
従って、温度指示値の不良が熱膨張の影響によって発生することを防止するためには、離間距離Ｌは、０．０５ｍｍ以上にすると良い。
【００７１】
以上の図６および図７の測定結果から、本発明に係る温度測定用スパークプラグでは、シース熱電対１１の接点１１ａと挿入孔４７の底部壁４７ａとの間の離間距離Ｌは、０．０５ｍｍ〜１．０ｍｍの範囲に設定することが好ましい。
【００７２】
また、本願発明者等は、上記第１実施形態の温度測定用スパークプラグ１における挿入孔４７の底部壁４７ａの板厚ｔの値を変えて、温度指示値への影響を測定した。
【００７３】
図８は、そのときの測定結果から得た板厚ｔとシース熱電対１１による温度指示値との相関図である。
【００７４】
図８では、シース熱電対の先端を板厚ｔが１ｍｍの底部壁に密着させた（即ち、ｔ＝１）従来の温度測定用スパークプラグにおけるシース熱電対の正常な温度指示値（７５５℃）を基準にして、±１５℃の温度指示値を合格範囲とする（図では、斜線を引いた領域が、合格範囲である）。
【００７５】
この合格範囲に収まる板厚ｔは、０．１ｍｍ〜２．１ｍｍの範囲であった。従って、底部壁４７ａの板厚ｔは、０．１ｍｍ〜２．１ｍｍの範囲に設定することが好ましい。
【００７６】
［第２実施形態］
図９は、本発明に係る温度測定用スパークプラグの第２実施形態の要部の拡大縦断面図である。
【００７７】
この第２実施形態の温度測定用スパークプラグ１Ａは、第１実施形態に示した温度測定用スパークプラグ１の先端電極部８ａの先端面に、白金やイリジウム等の貴金属チップ９１を設けたことを特徴とする。
【００７８】
貴金属チップ９１を設けた点以外の構成は、第１実施形態と共通でよく、共通の構成については同番号を付して説明を省略する。
【００７９】
この第２実施形態の温度測定用スパークプラグ１Ａでは、第１実施形態の温度測定用スパークプラグ１の作用・効果に加えて、次の作用・効果を得ることができる。
【００８０】
シース熱電対１１の接点１１ａが先端電極部８ａとして機能する中心電極８の底部壁４７ａに溶接されていない。そのため、貴金属チップ９１は、例えばレーザ溶接等で、簡単に先端電極部８ａの先端面に固定することができる。
【００８１】
そして先端電極部８ａの先端面に貴金属チップ９１を設けることで、貴金属プラグとしてのプラグ適合試験を行うことが可能になる。
【００８２】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００８３】
１  温度測定用スパークプラグ
３  主体金具
４  外側電極
６  絶縁碍子
６ａ  軸孔
６ｂ  先端面
８  中心電極
８ａ  先端電極部
１１  シース熱電対
１１ａ  接点
１３  高圧端子
１５  補助金具
４７  挿入孔
４７ａ  底部壁
９１  貴金属チップ
【図１】
2011119058.tif 000003
【図２】
2011119058.tif 000004
【図３】
2011119058.tif 000005
【図４】
2011119058.tif 000006
【図５】
2011119058.tif 000007
【図６】
2011119058.tif 000008
【図７】
2011119058.tif 000009
【図８】
2011119058.tif 000010
【図９】
2011119058.tif 000011